(57)【特許請求の範囲】
【請求項１】
前面が開放され、内部に消火機器を格納する格納箱本体（５）と、格納箱本体（５）の開口周縁部に取り付けられ、格納箱本体（５）の開口を開閉する扉（７）とを備えた消火機器用格納箱（１）の取っ手構造であって、前記取っ手構造は、扉（７）に取り付けられ、前面が開放されたケース状の取っ手本体（９）と、取っ手本体（９）内に手前方向へ回動自在に支持され、扉（７）を開放操作する引き取っ手（１０）と、取っ手本体（９）に設けられ、引き取っ手（１０）の手前方向の回動操作に伴って扉（７）を開閉したサイン（２１ａ）が表示されるサイン表示手段（１２）とを備えていることを特徴とする消火機器用格納箱の取っ手構造。
【請求項２】
前記取っ手本体（９）は、扉（７）を閉じた状態にロックし得ると共に、引き取っ手（１０）の手前方向への回動操作に伴って扉（７）のロック状態を解除し得るロック機構（１１）を更に備えていることを特徴とする請求項１に記載の消火機器用格納箱の取っ手構造。
【請求項３】
前記サイン表示手段（１２）は、取っ手本体（９）の底壁に形成され、扉（７）の前面と平行なスリット形状の収納空間（９ｉ）と、取っ手本体（９）の底壁前面に形成され、収納空間（９ｉ）に連通するサイン表示開口（９ｊ）と、収納空間（９ｉ）にスライド自在に収納され、サイン表示開口（９ｊ）に合致し得るサイン（２１ａ）を表示したサインパネル（２１）とを備えており、引き取っ手（１０）の手前方向への回動操作に伴ってサインパネル（２１）がスライド移動してサインパネル（２１）のサイン（２１ａ）がサイン表示開口（９ｊ）に合致する構成としたことを特徴する請求項１に記載の消火機器用格納箱の取っ手構造。
【請求項４】
前記取っ手本体（９）に形成したスリット形状の収納空間（９ｉ）は、その一端部が扉（７）の裏面側に開口され、扉（７）の裏面側からサインパネル（２１）をスライド操作でき、また、その他端部が取っ手本体（９）の底壁前面側に開口され、引き取っ手（１０）の裏面側に隠されていることを特徴とする請求項３に記載の消火機器用格納箱の取っ手構造。
【請求項５】
前記引き取っ手（１０）は、手前方向への回動操作時にサインパネル（２１）の一端部に係止されてサインパネル（２１）のサイン（２１ａ）がサイン表示開口（９ｊ）に合致するようにサインパネル（２１）をスライド移動させると共に、前記と反対方向への回動時にサインパネル（２１）と非係止状態になるパネルフック（１０ａ）を備えていることを特徴する請求項３に記載の消火機器用格納箱の取っ手構造。
【請求項６】
前記サインパネル（２１）のサイン（２１ａ）は、色表示又は文字表示若しくは図形表示の何れか一つ又は複数を組み合わせたものとしたことを特徴とする請求項３に記載の消火機器用格納箱の取っ手構造。
【発明の詳細な説明】
【技術分野】
【０００１】
本発明は、主として不特定多数の人が来場する公共施設や不特定多数の人が往来する駅等の建物に設置される、内部に消火活動に使用される消防用ホースやノズル、消火栓弁、消火器等の消火機器を格納した消火機器用格納箱の取っ手構造に係り、特に、悪戯や盗難等、正常な目的を持った者以外により消火機器用格納箱の扉が開けられたときや扉を開けようとしたときに機械的にサインを表示し、扉が開けられたことや扉を開けようとしたことが簡単に確認できるようにした消火機器用格納箱の取っ手構造に関するものである。
【背景技術】
【０００２】
従来から不特定多数の人が来場する病院や図書館、市民会館、コンサートホール等の公共施設、或いは不特定多数が往来する駅や空港等の建物には、火災の発生時に消火活動に使用される消防用ホースやノズル、消火栓弁、消火器等の消火機器を格納した消火機器用格納箱が施錠されていない状態で設置されている。
【０００３】
公共施設や駅等の建物に設置される消火機器用格納箱１００においては、火災時に使用するために施錠することができず、図１１に示す如く、悪戯等の防止のために封印シール１０３を開閉式の扉１０１と格納箱本体１０２に跨った状態で貼り、当該封印シール１０３が剥がされている場合や破れている場合には、何者かが扉を開閉したサインとして対応していた。
【０００４】
特に、近年では、テロ行為を目的として消火機器用格納箱の内部に危険物を隠し入れる危険性があり、その対策として消火機器用格納箱１００の随所に封印シール１０３を貼って対応している。
【０００５】
しかし、封印シール１０３では、封印シール１０３を剥がした後、再度貼り付けることができるため、封印シール１０３を破ることなく、扉を開閉することが可能となり、悪戯等がされたことを見落としてしまうと言う問題があった。
【０００６】
これを防ぐために、封印シール１０３の接着性を向上させれば、消火機器用格納箱１００の点検時に極めて剥がし難くなり、封印シール１０３の糊が扉１０１や格納箱本体１０２に残って美観を損ねると言う問題があった。
【０００７】
一方、悪戯や盗難等に対応できるように、消火機器用格納箱の扉が開いたことや消火機器用格納箱内の消火機器が取り出されたことを監視する消火器等格納箱の監視システムが開発されている（例えば、特許文献１参照）。
【０００８】
しかし、消火機器用格納箱に前記監視システムを採用した場合、構造が極めて複雑化してコスト高になると言う問題があった。
【先行技術文献】
【特許文献】
【０００９】
【特許文献１】特開平０９−２８５５５９号公報
【発明の概要】
【発明が解決しようとする課題】
【００１０】
本発明は、このような問題点に鑑みて為されたものであり、その目的は、悪戯や盗難等により消火機器用格納箱の扉が開けられたときや扉を開けようとしたときに機械的にサインを表示することで、扉が開けられたことや扉を開けようとしたことが容易に確認できるようにした消火機器用格納箱の取っ手構造を提供することにある。
【課題を解決するための手段】
【００１１】
上記目的を達成するために、本発明に係る消火機器用格納箱の取っ手構造は、前面が開放され、内部に消火機器を格納する格納箱本体と、格納箱本体の開口周縁部に取り付けられ、格納箱本体の開口を開閉する扉を備えた消火機器用格納箱の取っ手構造であって、前記取っ手構造は、扉に取り付けられ、前面が開放されたケース状の取っ手本体と、取っ手本体内に手前方向へ回動自在に支持され、扉を開放操作する引き取っ手と、取っ手本体に設けられ、引き取っ手の手前方向の回動操作に伴って扉を開閉したサインが表示されるサイン表示手段とを備えていることに特徴がある。
【００１２】
前記取っ手本体は、扉を閉じた状態にロックし得ると共に、引き取っ手の手前方向への回動操作に伴って扉のロック状態を解除し得るロック機構を更に備えていることが好ましい。
【００１３】
前記サイン表示手段は、取っ手本体の底壁に形成され、扉の前面と平行なスリット形状の収納空間と、取っ手本体の底壁前面に形成され、収納空間に連通するサイン表示開口と、収納空間にスライド自在に収納され、サイン表示開口に合致し得るサインを表示したサインパネルとを備えており、引き取っ手の手前方向への回動操作に伴ってサインパネルがスライド移動してサインパネルのサインがサイン表示開口に合致する構成とすることが好ましい。
【００１４】
前記取っ手本体に形成したスリット形状の収納空間は、その一端部が扉の裏面側に開口され、扉の裏面側からサインパネルをスライド操作でき、また、その他端部が取っ手本体の底壁前面側に開口され、引き取っ手の裏面側に隠されていることが好ましい。
【００１５】
前記引き取っ手は、手前方向への回動操作時にサインパネルの一端部に係止されてサインパネルのサインがサイン表示開口に合致するようにサインパネルをスライド移動させると共に、前記と反対方向への回動時にサインパネルと非係止状態になるパネルフックを備えていることが好ましい。
【００１６】
前記サインパネルのサインは、色表示又は文字表示若しくは図形表示の何れか一つ又は複数を組み合わせたものとすることが好ましい。
【発明の効果】
【００１７】
本発明に係る消火機器用格納箱の取っ手構造は、扉に設けた引き取っ手の回動操作に伴って扉を開閉したサインが表示されるサイン表示手段を備えているため、点検時や見回り時等にサインが表示されていれば、何者かが扉を開閉したり、或いは扉を開けようとしたことが判別でき、悪戯や危険物の隠し置きが行われた可能性を察知できるため、悪戯等を見落とすと言うことがなく、悪戯や危険物の早期発見を容易に行える。
【００１８】
本発明に係る消火機器用格納箱の取っ手構造は、サイン表示手段が、引き取っ手の回動操作に伴ってサインを表示したサインパネルが機械的にスライド移動してサインを表示する構成としているため、電源を必要とせず、コスト低減を図れる。
【００１９】
本発明に係る消火機器用格納箱の取っ手構造は、引き取っ手が、手前方向の回動操作時にサインパネルの一端部に係止されてサインパネルのサインがサイン表示開口に合致するようにサインパネルをスライド移動させると共に、前記と反対方向への回動時にサインパネルと非係止状態になるパネルフックを備えているため、引き取っ手の回動操作や扉の開閉操作を行っても、一旦現れたサインパネルのサインは常時表示されたままとなるので、扉が開けられたことや扉を開けようとしたことを確実に表示することができる。
【００２０】
本発明に係る消火機器用格納箱の取っ手構造は、サインパネルをスライド自在に収納するスリット形状の収納空間の一端部が扉の裏面側に開口され、扉の裏面側からサインパネルをスライド操作でき、また、スリット形状の収納空間の他端部が取っ手本体の底壁前面側に開口され、引き取っ手の裏面側に隠されているため、消火機器用格納箱を正面側から見ただけではサインの表示の解除方法が判らず、サインの表示を解除するには、扉の裏面側から操作しなければならないので、解除方法を知る者しか容易に解除することができない。
【図面の簡単な説明】
【００２１】
【図１】本発明の一実施形態に係る消火機器用格納箱の取っ手構造を用いた屋内設置型の消火栓の一例を示す正面図である。
【図２】消火機器用格納箱の取っ手部分の拡大正面図である。
【図３】消火機器用格納箱の取っ手部分の一部切欠拡大平面図である。
【図４】図３のＩ−Ｉ線断面図である。
【図５】図３のII−II線断面図である。
【図６】消火機器用格納箱の取っ手部分の拡大横断面図である。
【図７】消火機器用格納箱の取っ手部分を示し、（Ａ）は引き取っ手を手前方向へ少し回動させた状態の取っ手部分の横断面図、（Ｂ）はその一部切欠正面図である。
【図８】消火機器用格納箱の取っ手部分を示し、（Ａ）は引き取っ手を手前方向へ完全に回動させた状態の取っ手部分の横断面図、（Ｂ）はその一部切欠正面図である。
【図９】消火機器用格納箱の取っ手部分を示し、（Ａ）は引き取っ手から手を離し、扉を閉じた状態の取っ手部分の横断面図、（Ｂ）はその一部切欠正面図である。
【図１０】扉を開け、専用の解除キーを用いてサインパネルを元の位置に戻している状態の取っ手部分の横断面図である。
【図１１】封印シールを貼った消火機器用格納箱の正面図である。
【発明を実施するための形態】
【００２２】
以下、本発明の一実施形態を図面に基づいて詳細に説明する。
図１は本発明の実施形態に係る消火機器用格納箱１の取っ手構造を用いた屋内設置型の消火栓（例えば、易操作性１号消火栓）の一例を示すものであり、当該消火栓は、不特定多数の人が来場する病院や図書館等の公共施設、或いは不特定多数が往来する駅や空港等の建物の壁面等に設置されており、消火機器用格納箱１と、消火機器用格納箱１内に格納された消防用ホースやノズル、消火栓弁等の消火機器（図示省略）と、消火機器用格納箱１の前面に設けられた表示灯２、火災報知機３及びベル孔４とを備えている。
【００２３】
前記消火機器用格納箱１は、図１に示す如く、内部空間を消火機器用収納部及び警報機器用収納部に区分けした前面が開口された格納箱本体５と、格納箱本体５の消火機器用収納部の開口周縁部に扉用回転軸６を介して手前方向へ回動自在に取り付けられ、消火機器用収納部の開口を開閉する扉７と、格納箱本体５の警報機器用収納部の開口周縁部に扉用回転軸６を介して手前方向へ回動自在に取り付けられ、警報機器用収納部の開口を開閉する火報扉８とから構成されており、前記火報扉８には、表示灯２、火災報知器３及びベル孔４が設けられている。
【００２４】
また、格納箱本体５の開口周縁部は、強度を高めるために内方へ折り曲げられていると共に、扉７の外周縁部及び火報扉８の外周縁部も、強度を高めるためにそれぞれ背面側へ折り曲げられている。
【００２５】
そして、前記消火機器用格納箱１には、悪戯や盗難等により消火機器用格納箱１の扉７が開けられたときや扉７を開けようとしたときに機械的にサインを表示し、扉７が開けられたことや扉７を開けようとしたことが簡単に確認できるようにした取っ手構造が設けられている。
【００２６】
即ち、消火機器用格納箱１の取っ手構造は、図２〜図６に示す如く、扉７に取り付けられ、前面が開放されたケース状の取っ手本体９と、取っ手本体９内に手前方向へ回動自在に支持され、扉７を開放操作する引き取っ手１０と、取っ手本体９に設けられ、扉７を閉じた状態にロックし得ると共に、引き取っ手１０の手前方向への回動操作に伴って扉７のロック状態を解除し得るロック機構１１と、取っ手本体９に設けられ、引き取っ手１０の手前方向の回動操作に伴って扉７を開閉したサインが表示されるサイン表示手段１２とを備えている。
【００２７】
具体的には、前記取っ手本体９は、金属材又は合成樹脂材により前面が開放されたケース状に形成されており、扉７の左側縁部に形成した矩形状の取り付け穴７ａに前面側から裏面側へ突出するように嵌め込まれる前面が開放されたケース部９ａと、ケース部９ａの開口周縁部に連設され、取り付け穴７ａの内周縁部前面に当接するフランジ部９ｂとを備えている。
【００２８】
また、ケース部９ａとフランジ部９ｂの境界部分の一部には、取り付け穴７ａの内周縁部の一部を受け入れる係合凹部９ｃが形成されていると共に、ケース部９ａの側壁外面には、フランジ部９ｂとの間で扉７の内周縁部の一部を挟んだ状態で保持する弾性変形可能な係合突出片９ｄが突出形成されている（図３及び図６参照）。
【００２９】
更に、ケース部９ａの側壁（扉７の外周縁部に近い方の側壁）には、ロック機構１１が設けられるボス部９ｅが突出形成されている。このボス部９ｅには、後述するロック機構１１のラッチスライダー１５がスライド自在に挿入される横向きのスライダー支持穴９ｆと、ケース部９ａの内方へ開放されてロック機構１１のリンク部材１９等が収納されるスライダー支持穴９ｆに連通する凹部９ｇと、凹部９ｇ内に突出形成され、ロック機構１１を常に係止穴５aに向かって押し出す弾性体１６（例えば、圧縮コイルスプリング）を支持する支持片９ｈとがそれぞれ形成されている。
【００３０】
加えて、ケース部９ａの底壁には、後述するサイン表示手段１２を構成するサイン２１ａを表示したサインパネル２１がスライド自在に挿入されるスリット状の収納空間９ｉが扉７の前面と平行になるように形成されている。また、ケース部９ａの底壁前面には、サインパネル２１がスライド移動したときにサインパネル２１のサイン２１ａに合致し得る矩形状のサイン表示開口９ｊが収納空間９ｉに連通する状態で形成されている。このサイン表示開口９ｊの大きさは、サイン表示開口９ｊからサインパネル２１を簡単にスライド操作できない程度に設定されている。
【００３１】
そして、取っ手本体９は、ケース部９ａを扉７の取り付け穴７ａに前面側から挿入してフランジ部９ｂを取り付け穴７ａの内周縁部表面に当接させ、取り付け穴７ａの内周縁部の一部を係合凹部９ｃに係合させると共に、係合突出片９ｄを取り付け穴７ａの内周縁部の一部に係合させることによって、扉７の取り付け穴７ａに嵌め込み固定されている。
【００３２】
前記引き取っ手１０は、金属材又は合成樹脂材により横断面形状が略Ｌ字状の長尺板状に形成されており、ケース部９ａ内の左側位置で且つケース部９ａの上下壁にそれぞれ支持軸１３を介して手前方向へ回動自在に軸支され、取っ手本体９内に収納される収納位置と取っ手本体９の手前側へ最大に引き出される突出位置とに亘って回動操作されるようになっている。
尚、引き取っ手１０は、突出位置においてそのパネルフック１０ａがケース部９ａの底壁前面に設けたストッパー９ｌに当接し、それ以上手前方向へ回動しないようになっている。
【００３３】
また、引き取っ手１０は、引き取っ手１０の上下端部とケース部９ａの上下壁との間にそれぞれ介設したねじりコイルばね１４の弾性力により収納位置に付勢保持されており、引き取っ手１０を収納位置から突出位置へ回動操作し、突出位置で引き取っ手１０から手を離すと、ねじりコイルばね１４の弾性力により突出位置から収納位置へ自動的に復帰するようになっている。
【００３４】
更に、引き取っ手１０は、手前方向の回動操作時（収納位置から突出位置への回動時）にスリット状の収納空間９ｉの他端部から突出するサインパネル２１の一端部に係止されてサインパネル２１のサイン２１ａがサイン表示開口９ｊに合致するようにサインパネル２１をスライド移動させると共に、前記と反対方向への回動時（突出位置から収納位置への回動時）にサインパネル２１と非係止状態になるパネルフック１０ａを備えている。
【００３５】
前記ロック機構１１は、取っ手本体９のボス部９ｅに形成したスライダー支持穴９ｆに左右方向へスライド自在に挿入支持され、先端部に傾斜状のカム面１５ａを有すると共に、先端部が格納箱本体５の開口周縁部に形成した係止穴５ａに抜き差し自在に挿入されるラッチスライダー１５と、ラッチスライダー１５とボス部９ｅの凹部９ｇ内に突出形成された支持片９ｈとの間に介設され、ラッチスライダー１５をボス部９ｅから突出する方向へ付勢してラッチスライダー１５の先端部を格納箱本体５の係止穴５ａに挿入保持する弾性体１６（例えば、圧縮コイルスプリング）と、ラッチスライダー１５と引き取っ手１０とを連動連結する連結手段１７とを備えたラッチ錠構造に構成されている。
【００３６】
前記連結手段１７は、一端部が軸１８を介して引き取っ手１０に水平方向へ揺動自在に支持された略Ｌ字状の上下一対のリンク部材１９と、ラッチスライダー１５の基端部側の上端部及び下端部にそれぞれ設けられ、一対のリンク部材１９にそれぞれ形成したガイド孔１９ａに挿入された上下一対のガイドピン２０とを備えており、引き取っ手１０を収納位置から突出位置へ回動操作すると、リンク部材１９が引き取っ手１０により取っ手本体９のケース部９ａ内に引っ張られ、ガイドピン２０を介してラッチスライダー１５が格納箱本体５の係止穴５ａから抜ける方向へスライド移動し、また、引き取っ手１０から手を離すと、引き取っ手１０がねじりコイルばね１４の弾性力により突出位置から収納位置へ復帰すると共に、ラッチスライダー１５が弾性体１６の弾性力により前進し、これに伴ってリンク部材１９が引っ張られるようになっている。
【００３７】
尚、ラッチスライダー１５の先端部に対向する扉７の外周縁部には、格納箱本体５の係止穴５ａに合致してラッチスライダー１５が挿通される貫通穴７ｂが形成されている。
また、一対のリンク部材１９を支持する一対の軸１８は、引き取っ手１０に形成した溝状の切欠部１０ｂに移動自在に挿入支持されている。
更に、ガイドピン２０は、ボス部９ｅの凹部９ｇの上下内壁面にそれぞれ形成したガイド溝９ｋに移動自在に挿入支持されている。
【００３８】
而して、前記ロック機構１１によれば、引き取っ手１０を収納位置から突出位置へ回動操作すると、ラッチスライダー１５が弾性体１６の弾性力に抗して後退し、ラッチスライダー１５の先端部が格納箱本体５の係止穴５ａから抜け、扉７のロック状態が解除されて扉７を開放することができる。
【００３９】
一方、扉７を閉じた状態で引き取っ手１０から手を離すと、ラッチスライダー１５が弾性体１６の弾性力により前進して取っ手本体９のケース部９ａのボス部９ｅから外方へ大きく突出すると共に、ラッチスライダー１５の先端部が扉７の貫通穴７ｂを通過して格納箱本体５の開口周縁部に形成した係止穴５ａに挿入され、扉７がロック状態となる。また、引き取っ手１０は、ねじりコイルばね１４の弾性力とロック機構１１の弾性体１６の弾性力により突出位置から収納位置へ自動的に復帰する。
【００４０】
前記サイン表示手段１２は、取っ手本体９のケース部９ａの底壁に形成され、扉７の前面と平行なスリット形状の収納空間９ｉと、取っ手本体９の底壁前面に形成され、収納空間９ｉに連通するサイン表示開口９ｊと、収納空間９ｉに左右方向へスライド自在に収納され、サイン表示開口９ｊに合致し得るサイン２１ａを表示したサインパネル２１とを備えており、引き取っ手１０の手前方向への回動操作（収納位置から突出位置への回動操作）に伴ってサインパネル２１がスライド移動してサインパネル２１のサイン２１ａがサイン表示開口９ｊに合致するように構成されている。
【００４１】
前記スリット形状の収納空間９ｉの一端部は、扉７の裏面側に開口されており、扉７の裏面側からサインパネル２１をスライド操作できるようになっている。また、スリット形状の収納空間９ｉの他端部は、取っ手本体９の底壁前面側に開口されて引き取っ手１０の裏面側に隠されており、引き取っ手１０本体９の表面側から引き取っ手１０のパネルフック１０ａによりサインパネル２１を一方向（サインパネル２１のサイン２１ａがサイン表示開口９ｊに合致する方向）へスライド操作できるようになっている。
【００４２】
更に、サインパネル２１は、金属材又は合成樹脂材により矩形状に形成されており、その中央部には、色表示によるサイン２１ａが表示されている。このサイン２１ａは、サインパネル２１の中央部を赤色に着色することにより形成されている。
【００４３】
尚、サインパネル２１の大きさ及びサインパネル２１におけるサイン２１ａの形成位置は、引き取っ手１０が収納位置にあるときには、サインパネル２１の一端部（図６の左側端部）が引き取っ手１０のパネルフック１０ａの近傍に位置すると共に、サインパネル２１のサイン２１ａがサイン表示開口９ｊから外れた位置にあって非表示となり、また、引き取っ手１０が収納位置から突出位置へ回動操作されたときには、引き取っ手１０のパネルフック１０ａがサインパネル２１の一端部に係止され、サインパネル２１のサイン２１ａがサイン表示開口９ｊに合致するようにサインパネル２１をスライド移動させるようにそれぞれ設定されている。
【００４４】
前記サイン表示手段１２によれば、引き取っ手１０の収納位置から突出位置への回動操作時には、サインパネル２１がパネルフック１０ａに係止されてサインパネル２１のサイン２１ａがサイン表示開口９ｊに合致するようにサインパネル２１を右方向へスライド移動させ、また、引き取っ手１０の突出位置から収納位置への回動時には、サインパネル２１とパネルフック１０ａとの係止が外れ、サインパネル２１がサイン２１ａをサイン表示開口９ｊに合致させた位置で停止した状態となり、サインパネル２１が引き取っ手１０の回動操作や扉７の回動操作で元に戻ることがないように構成されている。
【００４５】
而して、上述した消火機器用格納箱１の取っ手構造においては、引き取っ手１０を手前方向へ回動操作していない状態では、サインパネル２１のサイン２１ａがサイン表示開口９ｊと合致せず、サインパネル２１のサイン２１ａが取っ手本体９のケース部９ａの収納空間９ｉに隠れた状態となっている。
【００４６】
この状態で、何者かが悪戯や盗難等の目的で引き取っ手１０を手前方向へ回動させて扉７を開けようとすると、サイン表示開口９ｊにサインパネル２１のサイン２１ａが表示されることになる。
【００４７】
即ち、引き取っ手１０を扉７のロックが解除される位置（突出位置）まで手前側へ引くと、引き取っ手１０のパネルフック１０ａがサインパネル２１の一端部に係止され、サインパネル２１が所定の位置（サインパネル２１のサイン２１ａがサイン表示開口９ｊに合致する位置）までスライド移動すると共に、ラッチスライダー１５が弾性体１６の弾性力に抗して後退し、ラッチスライダー１５の先端部が格納箱本体５の係止穴５ａから抜け、扉７のロック状態が解除されて扉７を開放することができる（図７及び図８参照）。
【００４８】
サインパネル２１が所定の位置までスライド移動することで、サイン表示開口９ｊには、サインパネル２１のサイン２１ａが表示されることになる（図８参照）。
【００４９】
引き取っ手１０を放し、扉７を閉じて行くと、ラッチスライダー１５のカム面１５ａが格納箱本体５の開口周縁部に当接して押圧され、これに伴ってラッチスライダー１５が弾性体１６の弾性力に抗して後退し、ラッチスライダー１５の先端部が格納箱本体５の係止穴５ａに合致した時点でラッチスライダー１５が弾性体１６の弾性力により前進し、ラッチスライダー１５の先端部が格納箱本体５の係止穴５ａに挿入係止される。これにより、扉７は、閉じた状態で保持されることになる。
【００５０】
このとき、引き取っ手１０は、パネルフック１０ａがサインパネル２１と非係止状態になり、サインパネル２１を戻すことなく、ロック位置へ戻る。その結果、サインパネル２１のサイン２１ａは、常時表示されたままとなる（図９参照）。
【００５１】
尚、引き取っ手１０を手前方向へ回動操作してラッチスライダー１５を後退した状態で扉７を閉じて行き、扉７が完全に閉じた時点で引き取っ手１０から手を離すようにしても良い。そうすると、ラッチスライダー１５が弾性体１６の弾性力により前進し、ラッチスライダー１５の先端部が格納箱本体５の係止穴５ａに挿入係止され、扉７がロック状態に保持されることになる。
【００５２】
そして、点検者は、取っ手部分のサイン表示開口９ｊにサイン２１ａが表示されている消火機器用格納箱１を見つけたら、消火機器用格納箱１の内部を点検し、悪戯や盗難等が行われていないかを点検した後、扉７の裏面側から収納空間９ｉの一端部開口に専用の解除キー２２を差し込み、サインパネル２１を元の位置（サインパネル２１のサイン２１ａがサイン表示開口９ｊに合致しない位置）まで戻し、サイン２１ａを非表示にする（図１０参照）。
【００５３】
このように、上述した消火機器用格納箱１の取っ手構造は、扉７に設けた引き取っ手１０の回動操作に伴って扉７を開閉したサイン２１ａが表示されるサイン表示手段１２を備えているため、点検時や見回り時等にサイン２１ａが表示されていれば、何者かが扉７を開閉したり、或いは扉７を開けようとしたこととなり、扉７が開けられたことや扉７を開けようとしたことを簡単に確認することができるので、悪戯等を見落とすと言うことがなく、悪戯や危険物の早期発見を容易に行える。
【００５４】
また、消火機器用格納箱１の取っ手構造は、サイン表示手段１２が、引き取っ手１０の回動操作に伴ってサイン２１ａを表示したサインパネル２１が機械的にスライド移動してサイン２１ａを表示する構成としているため、電源を必要とせず、コスト低減を図れる。
【００５５】
更に、消火機器用格納箱１の取っ手構造は、引き取っ手１０が、手前方向の回動操作時にサインパネル２１の一端部に係止されてサインパネル２１のサイン２１ａがサイン表示開口９ｊに合致するようにサインパネル２１をスライド移動させると共に、前記と反対方向への回動時にサインパネル２１と非係止状態になるパネルフック１０ａを備えているため、引き取っ手１０の回動操作や扉７の開閉操作を行っても、一旦現れたサインパネル２１のサイン２１ａは常時表示されたままとなるので、扉７が開けられたことや扉７を開けようとしたことを確実に表示することができる。
【００５６】
更に、消火機器用格納箱１の取っ手構造は、サインパネル２１をスライド自在に収納するスリット形状の収納空間９ｉの一端部が扉７の裏面側に開口され、扉７の裏面側からサインパネル２１をスライド操作でき、また、スリット形状の収納空間９ｉの他端部が取っ手本体９の底壁前面側に開口され、引き取っ手１０の裏面側に隠されているため、消火機器用格納箱１を正面側から見ただけではサイン２１ａの表示の解除方法が判らず、サイン２１ａの表示を解除するには、扉７の裏面側から操作しなければならないので、解除方法を知る者しか容易に解除することができない。
【００５７】
更に、消火機器用格納箱１の取っ手構造は、扉７を閉じた状態にロックし得るラッチ錠構造のロック機構１１を備えているため、強風等により扉７が不用意に開いてしまうと言うことがなく、格納している消火機器を良好に保護することができる。
【００５８】
尚、上記の実施形態においては、消火機器用格納箱１の扉７を手前方向へ回動自在な回動式の扉７とし、この扉７に本発明の取っ手構造を設けるようにしたが、他の実施形態においては、消火機器用格納箱１の扉７を格納箱本体５の横方向へスライド自在なスライド式の扉とし、この扉に本発明の取っ手構造を設けるようにしても良い。但し、この場合には、ロック機構１１の構成を変える必要がある。
【００５９】
上記の実施形態においては、消火機器用格納箱１の扉７に本発明の取っ手構造を設けたが、他の実施形態においては、消火機器用格納箱１の火報扉８にも、扉７と同じ取っ手構造を設けるようにしても良い。
【００６０】
上記の実施形態においては、取っ手本体９にロック機構１１を設け、このロック機構１１により扉７を閉じた状態にロックするようにしたが、他の実施形態においては、ロック機構１１を省略し、格納箱本体５の開口周縁部に設けた従来公知の三角戸バネ（三角キャッチ）により扉７を閉じた状態に保持するようにしても良い。この場合には、消火機器用格納箱１の取っ手構造の簡略化を図れることになる。
【００６１】
上記の実施形態においては、引き取っ手１０にサインパネル２１へ係止されるパネルフック１０ａを設け、引き取っ手１０の回動運動を利用してパネルフック１０ａによりサインパネル２１をスライド移動させるようにしているが、他の実施形態においては、ラッチスライダー１５の摺動運動を利用してサインパネル２１をスライド移動させるようにしても良い。
【００６２】
上記の実施形態においては、サイン表示手段１２のサインパネル２１のサイン２１ａを赤色の色表示としたが、サインパネルのサイン２１ａを他の色の色表示としても良い。また、サインパネル２１のサイン２１ａを「内部点検要」等の文字表示のサイン２１ａとしたり、扉７を開けられたことが判る図形表示としたり、或いは色表示と文字表示と図形表示のうち、何れか二つ又は三つを組み合わせたサイン２１ａとしても良い。
【００６３】
上記の実施形態においては、サインパネル２１を元の位置に戻す場合、専用の解除キー２２を用いたが、他の実施形態においては、専用の解除キー２２に替えて点検業者が常時携帯しているマイナスドライバーや他の工具を利用してサインパネル２１を元の位置に戻すようにしても良い。
【産業上の利用可能性】
【００６４】
本発明は、屋内設置型の消火栓（易操作性１号消火栓）の格納箱に用いたが、１号消火栓や２号消火栓の格納箱、補助散水栓の格納箱、消火器格納箱、放水口格納箱、パッケージ型消火設備の格納箱等にも利用できるものである。
また、本発明の取っ手構造は、既設の格納箱にも設置できるものである。
【符号の説明】
【００６５】
１は消火機器用格納箱、２は表示灯、３は火災報知機、４はベル孔、５は格納箱本体、５ａは係止穴、６は扉用回転軸、７は扉、７ａは取り付け穴、７ｂは貫通穴、８は火報扉、９は取っ手本体、９ａはケース部、９ｂはフランジ部、９ｃは係合凹部、９ｄは係合突出片、９ｅはボス部、９ｆはスライダー支持穴、９ｇは凹部、９ｈは支持片、９ｉはスリット状の収納空間、９ｊはサイン表示開口、９ｋはガイド溝、９ｌはストッパー、１０は引き取っ手、１０ａはパネルフック、１０ｂは溝状の切欠部、１１はロック機構、１２はサイン表示手段、１３は支持軸、１４はねじりコイルばね、１５はラッチスライダー、１５ａはカム面、１６は弾性体、１７は連結手段、１８は軸、１９はリンク部材、１９ａはガイド孔、２０はガイドピン、２１はサインパネル、２１ａはサイン、２２は解除キー。
【図１】
0006478276.tif 000002
【図２】
0006478276.tif 000003
【図３】
0006478276.tif 000004
【図４】
0006478276.tif 000005
【図５】
0006478276.tif 000006
【図６】
0006478276.tif 000007
【図７】
0006478276.tif 000008
【図８】
0006478276.tif 000009
【図９】
0006478276.tif 000010
【図１０】
0006478276.tif 000011
【図１１】
0006478276.tif 000012